(57)【要約】      （修正有）【課題】ペットに首輪の装着が容易なバックルおよび装着容易なペット用首輪を提供する。【解決手段】フレーム本体は、フレーム本体５，６の長手方向一方の側に回動可能な係合ピン１１、および長手方向他方の側に配され揺動可能連結起動部材７が一体化され、長手方向の係合ピン側に、回動軸１２との間にベルト１８が通過可能な隙間を形成する係止部１６を有し、係合ピンは、係止部に当接してその一方への回動を停止させるピン部２９、及び連結起動部材側に係合部２９を備え、連結起動部材は係合部に当接可能な作用部３８を備え、ベルトに連結されてベルトの貫通穴４０が設けられた一端側が回動軸と係止部との間に挿通されたときに、連結起動部材をその揺動方向の一方の揺動端から他方側へ揺動させることにより、作用部が係合部を押圧してピン部が貫通穴外から貫通穴内に収容されるように構成されたペット用首輪５のバックル１。【選択図】図１
0003144800.tif 000002
【実用新案登録請求の範囲】
【請求項１】
ベルトの一端側に前記ベルトの厚さ方向に貫通する貫通穴が設けられたペット用の首輪に使用される首輪用バックルであって、
外殻をなすフレーム本体と、
前記フレーム本体の長手方向の一方の側に、前記フレーム本体の幅方向を回動軸として回動可能に取り付けられた係合ピンと、
前記係合ピンに対して前記長手方向の他方の側に配され揺動可能または前記幅方向に略直交する方向を往復動可能に前記フレーム本体に一体化された連結起動部材と、で形成され、
前記フレーム本体は、
その長手方向における前記係合ピンが配された側に、前記幅方向に延び前記回動軸との間に前記ベルトの他端側が通過可能な隙間を形成する係止部を有し、
前記係合ピンは、
前記幅方向に直交する方向に延び前記係止部に当接してその回動方向の一方における回動を停止させるピン部、および前記連結起動部材側に配された係合部を備え、
前記連結起動部材は前記係合部に当接可能な作用部を備えており、
前記ベルトの他端に連結されて前記貫通穴が設けられた前記ベルトの一端側が前記回動軸と前記係止部との間に挿通されたときに、前記連結起動部材をその揺動方向の一方の揺動端から他方側へ揺動させまたはその往復動方向の一方の移動端から他方側に移動させることにより、前記作用部が前記係合部を押圧して前記ピン部が前記貫通穴外から前記貫通穴内に収容されるように構成された
ことを特徴とする首輪用バックル。
【請求項２】
一端側にその厚さ厚さ方向に貫通する貫通穴を備えたベルトと、
前記ベルトの他端に連結された請求項１に記載の首輪用バックルと、により形成された
ペット用首輪。
【請求項３】
ベルトの一端に連結されてペット用の首輪を形成する首輪用バックルであって、
外殻をなすフレーム本体と、
前記フレーム本体の長手方向の一方の側に、前記フレーム本体の幅方向を回動軸として回動可能に取り付けられた係合ピンと、
前記係合ピンに対して前記長手方向の他方の側に配され揺動可能または前記幅方向に略直交する方向を往復動可能に前記フレーム本体に一体化された連結起動部材と、で形成され、
前記フレーム本体は、
その長手方向における前記係合ピンが配された側に、前記幅方向に延び前記回動軸との間に前記ベルトの他端側が通過可能な隙間を形成する係止部を有し、
前記係合ピンは、
前記幅方向に直交する方向に延びその先端が前記係止部に最接近したときに前記係止部と所定の距離を有するように形成されたベルト押圧部と、
前記連結起動部材側に配された係合部と、を備え、
前記連結起動部材は前記係合部に当接可能な作用部を備えており、
前記ベルトの一端に連結され前記ベルトの他端側が前記回動軸と前記係止部との間に挿通されたときに、前記連結起動部材をその揺動方向の一方の揺動端から他方側へ揺動させまたはその往復動方向の一方の移動端から他方側に移動させることにより前記作用部に当接する前記係合部を介して係合ピンを回動させ、前記ベルト押圧部に前記係止部との間のベルトを押圧させるように構成された
ことを特徴とする首輪用バックル。
【請求項４】
ベルトと、
前記ベルトの一端に連結された請求項３に記載の首輪用バックルと、により形成された
ペット用首輪。
【考案の詳細な説明】
【技術分野】
【０００１】
本考案は、ペット用の首輪に使用されるバックルおよびペット用首輪に関する。
【背景技術】
【０００２】
近年、少子化等の影響により、ペットを飼う家庭が増加している。また、ペットを飼うことが可能な集合住宅等も増加しており、ペット用品の市場も急拡大している。
家庭で飼われるペットの種類も増加しており、代表的な犬、猫の他にフェレット等も人気が高い。これらのペットには、通常、首輪が付けられる。
ペット用の首輪８１は、これまで図１１に示されるような、金属製の矩形の枠（尾錠）８２の１辺の中央に回動可能に棒状の係止棒（ツク棒）８３が取り付けられたバックル（金具）８４が使用されるのが一般的であった。図１１に示されるバックル８４は、枠８２に固定されていない側のベルト８５の端を枠８２に通したのちに、係止棒８３の先端を、ベルト８５を貫通する穴８６に通すことによりペットに首輪８１を装着する。このペットに首輪８１を装着する作業は、ペットが活動的な（じっとしていない）場合には手間取ることが多く、そのために、装着が容易な首輪（バックル）が種々提案されている（例えば特許文献１，２）。
【特許文献１】登録実用新案第３０３９４０３号公報
【特許文献２】登録実用新案第３０５５３２０号公報
【考案の開示】
【考案が解決しようとする課題】
【０００３】
しかし、特許文献１に記載された首輪は、ペットに装着するときに、バックルが固定されていない側のベルトの端部をバックルにおいて折り返す作業を要し、活動的なペットに装着する場合に、その作業が必ずしも容易ではない。
また、特許文献２に記載された首輪は、ベルトにおけるバックルが取り付けられた側の端部に設けられた２つの固定金具（抜止係合部）を、ベルトの他端側の切り込みに合致させてからこの切り込みを貫通させてベルトの両端を連結するもので、首輪の装着作業が煩雑である。
【０００４】
本考案は、上述の問題に鑑みてなされたもので、ペット用の首輪に使用されペットへの首輪の装着が容易なバックルおよびペットに簡便に装着可能なペット用首輪を提供することを目的とする。
【課題を解決するための手段】
【０００５】
本考案に係る首輪用バックルは、ベルトの一端側に前記ベルトの厚さ方向に貫通する貫通穴が設けられたペット用の首輪に使用される首輪用バックルであって、外殻をなすフレーム本体と、前記フレーム本体の長手方向の一方の側に、前記フレーム本体の幅方向を回動軸として回動可能に取り付けられた係合ピンと、前記係合ピンに対して前記長手方向の他方の側に配され揺動可能または前記幅方向に略直交する方向を往復動可能に前記フレーム本体に一体化された連結起動部材と、で形成され、前記フレーム本体は、その長手方向における前記係合ピンが配された側に、前記幅方向に延び前記回動軸との間に前記ベルトの他端側が通過可能な隙間を形成する係止部を有し、前記係合ピンは、前記幅方向に直交する方向に延び前記係止部に当接してその回動方向の一方における回動を停止させるピン部、および前記連結起動部材側に配された係合部を備え、前記連結起動部材は前記係合部に当接可能な作用部を備えており、前記ベルトの他端に連結されて前記貫通穴が設けられた前記ベルトの一端側が前記回動軸と前記係止部との間に挿通されたときに、前記連結起動部材をその揺動方向の一方の揺動端から他方側へ揺動させまたはその往復動方向の一方の移動端から他方側に移動させることにより、前記作用部が前記係合部を押圧して前記ピン部が前記貫通穴外から前記貫通穴内に収容されるように構成される。
【０００６】
本考案に係るペット用首輪は、一端側にその厚さ厚さ方向に貫通する貫通穴を備えたベルトと、前記ベルトの他端に連結された前記首輪用バックルと、により形成される。
本考案に係る他の首輪用バックルは、ベルトの一端に連結されてペット用の首輪を形成する首輪用バックルであって、外殻をなすフレーム本体と、前記フレーム本体の長手方向の一方の側に、前記フレーム本体の幅方向を回動軸として回動可能に取り付けられた係合ピンと、前記係合ピンに対して前記長手方向の他方の側に配され揺動可能または前記幅方向に略直交する方向を往復動可能に前記フレーム本体に一体化された連結起動部材と、で形成され、前記フレーム本体は、その長手方向における前記係合ピンが配された側に、前記幅方向に延び前記回動軸との間に前記ベルトの他端側が通過可能な隙間を形成する係止部を有し、前記係合ピンは、前記幅方向に直交する方向に延びその先端が前記係止部に最接近したときに前記係止部と所定の距離を有するように形成されたベルト押圧部と、前記連結起動部材側に配された係合部と、を備え、前記連結起動部材は前記係合部に当接可能な作用部を備えており、前記ベルトの一端に連結され前記ベルトの他端側が前記回動軸と前記係止部との間に挿通されたときに、前記連結起動部材をその揺動方向の一方の揺動端から他方側へ揺動させまたはその往復動方向の一方の移動端から他方側に移動させることにより前記作用部に当接する前記係合部を介して係合ピンを回動させ、前記ベルト押圧部に前記係止部との間のベルトを押圧させるように構成される。
【０００７】
上記における「所定の距離」とは、バックルに連結される予定のベルトの厚さよりも小さな距離をいうものである。
本考案に係る他のペット用首輪は、ベルトと、前記ベルトの一端に連結された前記首輪用バックルと、により形成される。
【考案の効果】
【０００８】
本考案によると、ペットへの首輪の装着が容易な首輪を形成可能なバックルおよびペットへの装着が容易な首輪を提供することができる。
【考案を実施するための最良の形態】
【０００９】
図１はバックル１の正面図、図２はバックル１の平面図、図３はバックル１の斜視図、図４はバックル１の動作を示す図である。
バックル１は、ペット用首輪に使用されるものである。
図１ないし図３において、バックル１は、フレーム５、支持部材６、係合ピン１１、ピン軸１２、付勢部材１３、解除部材７およびベルト固定軸１４からなる。
フレーム５は、バックル１を強度的に支える外殻の役割を果たすものである。フレーム５は、幅方向の両側で長手方向に互いに対向して平行に延びた板状の２つの側部１５，１５、長手方向の一方の端で両側の側部１５，１５を連結する係止部１６、および長手方向の他方の端で両側の側部１５，１５を連結する整合部１７からなる。
【００１０】
ここで「幅方向」とは、バックル１がベルト１８と一体化されたときのベルト１８の幅方向に相当する方向をいい、「長手方向」とはバックル１がベルト１８と一体化されたときのベルト１８の長手方向に相当する方向をいうものとする。
係止部１６は、それぞれの側部１５，１５に連続する部分からいずれも側部１５，１５と同一面内で側部１５，１５に対して斜め方向に一旦延び、それぞれの延びた先が側部１５，１５に直交する面（板状部分）で連結されて形成されている。係止部１６と側部１５，１５における係止部１６側には、ピン軸１２を貫通させるためのピン軸用孔１９が設けられている。
【００１１】
以下、係止部１６が一旦延びる方向つまり図１における上下方向を「上下方向」といい、上下方向の上を「上」または「上方」、下を「下」または「下方」という。
整合部１７は、側部１５，１５の係止部１６とは反対側の端部において、側部１５，１５から係止部１６が配された側と同じ側に側部１５，１５に対して約９０度の角度で延び、延びた先で係止部１６と同様に両側の側部１５，１５を側部１５，１５に直交する面（板状部分）で連結する。整合部１７における係止部１６側の端縁は、湾曲する凹状の凹部２０を備えている。幅方向両側におけるの整合部１７と側部１５，１５とが連続する部分には、ベルト固定軸１４を貫通させるためのベルト固定軸用孔２１が設けられている。
【００１２】
以上の構成を有するフレーム５は、正面視（図１）において略「コ」字状を呈する。
支持部材６は、２つの側板２２，２２、底板２３、および２つの挟持板２４，２４等からなる。
側板２２，２２は、フレーム５の両側部１５，１５の内側に側部１５，１５に沿って配された板状の部材である。側板２２，２２は、フレーム５の長手方向中央よりも整合部１７寄りの部分で整合部１７を向く段が形成され、それよりも係止部１６側が高さが高く（上下方向の幅が大きく）なっている。この段に形成された面を係止面２５，２５というものとする。また、側板２２，２２は、段が形成された部分よりも整合部１７側において、幅方向の厚みが薄くなっている。側板２２，２２における幅方向の厚みが薄くなった整合部１７側には、それぞれ解除部材７を揺動可能に支持するための支持孔２６，２６が設けられている。
【００１３】
底板２３は、両側の側板２２，２２のそれぞれの下側端縁に固定されて側板２２，２２と一体化され、ピン軸１２およびベルト固定軸１４を介してフレーム５に取り付けられている。
挟持板２４，２４は、板状の部材であって、長手方向の係止部１６側における両側板２２，２２の間にこれらと平行に、かつ互いに平行に間隔を有して底板２３の上面に一体化されている。なお、底板２３における挟持板２４，２４の間は、欠落した切り欠き２７となっている。
【００１４】
長手方向において側板２２，２２および挟持板２４，２４におけるピン軸用孔１９に重なる部分には、それぞれピン軸用の貫通孔が設けられている。
本考案におけるフレーム本体とは、フレーム５および支持部材６をいうものである。
係合ピン１１は、円板状の本体部２８と細長く延びたピン部２９とからなる。本体部２８の中心には、貫通する孔３０が設けられている。ピン部２９は、本体部２８と略同じ厚さで円板状の本体部２８の法線方向に延びており、その先端側面が湾曲する面（湾曲面）３１となっている。係合ピン１１は、２つの挟持板２４，２４の間に配され、フレーム５のピン軸用孔１９、側板２２，２２および挟持板２４，２４を貫通するピン軸１２により、回動可能にフレーム５に支持されている。
【００１５】
付勢部材１３は、２つのねじりバネがコイル軸の軸心を共通させ間隔を空けて平行に並べられ、それぞれの一端が連結された形態を有するバネである。付勢部材１３は、その自由な両端部３２，３２および２つのねじりバネを連結する部分（以下「連結部分」という）３３がコイル軸に対して同じ側になるように形成されている。コイル部分から自由な両端３２，３２までとコイル部分から連結部分３３までとは、互いに交差しない。また、付勢部材１３におけるコイル部分から連結部分３３までの間は、自由な両端３２，３２部側までの距離が徐々に遠くなり、そののち、延びる方向を転換して自由な両端部３２，３２側までの距離が徐々に近づくように形成されている。
【００１６】
付勢部材１３は、それぞれのコイル部分が側板２２と挟持板２４との間でピン軸１２を貫通させて支持部材６に一体化されている。付勢部材１３は、自由な両端３２，３２および連結部分３３が整合部１７側になるように、かつ自由な端部３２，３２側が下側に、つまり自由な端部３２，３２が底板２３で係止されるように配される。
解除部材７は、操作部３４および押圧部３５からなる。
操作部３４は、略「コ」字状の枠であり、枠において、対向し略平行する２つの部分をつなぎフレーム５の幅に略等しい長さを有する部分には、一方の側に円弧状に湾曲して突出する凸部３６を備える。凸部３６の湾曲の程度は整合部１７の凹部２０における湾曲の程度と略一致している。
【００１７】
押圧部３５は、揺動軸３７および爪部３８からなる。揺動軸３７は、円柱状の軸であり、操作部３４における枠の両開放側端部を連結する。揺動軸３７は、その両端が、見かけ上両開放端部からそれぞれ外方に突出する凸状軸部３９，３９となっている。爪部３８は、揺動軸３７に並んで操作部３４における枠の両開放端を連結し、さらに揺動軸３７とは逆側に揺動軸３７と直交する方向に、かつ操作部３４と略直交する延びている。
押圧部３５は、爪部３８が係合ピン１１側になるようにして、両凸状軸部３９，３９が側板２２，２２に設けられた支持孔２６，２６にそれぞれ嵌め入れられ、支持部材６（フレーム５）に揺動可能に取り付けられている。押圧部３５は、支持部材６に取り付けられた状態で、付勢部材１３により爪部３８が底板２３から離れる方向に付勢され、操作部３４の凸部３６が整合部１７の凹部２０に当接することにより、限度以上の揺動が阻止されている。
【００１８】
爪部３８は、係合ピン１１の整合部１７側への揺動をその先端上部に当接させることにより制限する。解除部材７は、操作部３４の凸部３６が整合部１７の凹部２０に当接したとき、爪部３８に当接する係合ピン１１のピン部２９の先端の湾曲面３１が適度な高さとなるように、爪部３８の先端の位置、すなわち形状が決定される。なお、爪部３８の形状は、爪部３８に当接する係合ピン１１の形状とも密接に関連する。
解除部材７は、本考案における連結起動部材に該当する。
ベルト固定軸１４は、円柱状の棒であり、フレーム５の両側部１５，１５に設けられたベルト固定軸用孔２１にその端部のそれぞれが固定されている。ベルト固定軸１４は、ベルト１８の一端を折り返して取り付けるための部材である。
【００１９】
バックル１とともに首輪２に使用されるベルト１８は、ベルト固定軸１４に取り付けられた側とは反対側の端部近傍に、ベルト１８を貫通しベルト１８の長手方向に複数の並ぶ貫通穴４０を備える。貫通穴４０の幅は、係合ピン１１におけるピン部２９の厚さよりも若干大きい。
次に、図４を参照しながら、バックル１が使用された首輪２をペットに取り付ける方法を説明する。
首輪２がペットの首に巻かれ、ベルト１８の先端が、係止部１６と底板２３との間、解除部材７の操作部３４と爪部３８との間、および整合部１７とベルト固定軸１４に取り付けられたベルト１８ａとの間に通される（Ｈ１）。係合ピン１１は、作業前には、付勢部材１３の付勢力により、通されるベルト１８の下面よりもピン部２９の先端が上に位置している（Ｐ１）。
【００２０】
ベルト１８が上記のようにバックル１における各間に通されると、ベルト１８の下面は、ピン部２９の先端を押圧してこれをを下方に押し下げ（Ｐ２）、ピン部２９に当接する爪部３８を付勢部材１３の付勢力に抗して下方に揺動させて（Ｍ１）、ベルトの挿通を可能にする。
さらにベルト１８が押し入れられると、ベルト１８の貫通穴４０ａが係合ピン１１のピン部２９の位置に進み、係合ピン１１は付勢部材１３に付勢された爪部３８に回動されてピン部２９が貫通穴４０ｂ内に嵌り込む（Ｐ１）。先に述べた「ピン部２９の先端の湾曲面３１が適度な高さ」とは、ピン部２９の整合部１７側の湾曲面３１における貫通穴４０ｂに接する部分の法線Ｌ１が、貫通穴４０ｂにおける整合部１７側の内面（彎曲面の場合接する位置の母線）Ｌ２に直交するまで係合ピン１１が係止部１６側に回動したときの、湾曲面３１の高さ、つまり、湾曲面３１が貫通穴４０ｂ内に嵌り込む位置をいう。
【００２１】
なお、本考案にいう係合部とは、ピン部２９における爪部３８が作用する部分である。
この貫通穴４０ｂにピン部２９が嵌り込んで適度な首輪２の輪の大きさとなったとき、ベルト１８がバックル１から抜き出す方向に引かれることにより、係合ピン１１は貫通穴４０ｂの整合部１７側内面に押され係止部１６側に回動し係止部１６に係止されて（Ｐ３）、ペットへの首輪２の取り付けが終了する。
なお、「ピン部２９の先端の湾曲面３１が適度な高さ」よりも低い位置にある場合、つまりピン部２９の先端が充分に貫通穴４０内に嵌り込んでいないときには、ベルト１８をバックル１から抜き出す方向に引くと再びピン部２９が押し下げられて、ベルト１８のバックル１に差し入れられた側はバックル１に固定されない。
【００２２】
ピン部２９が嵌り込んだ貫通穴４０で係合ピン１１を係止させると首輪２が緩すぎる場合、さらに次の貫通穴４０までベルト１８が押し進められる。係合ピン１１は、再びベルト１８の下面によりピン部２９の先端が押し下げられ（Ｐ２）、次の貫通穴４０がピン部２９の位置に達したときにピン部２９の先端が貫通穴４０に嵌り込む。この後は、先の貫通穴４０ｂと同様に、ベルト１８がバックル１から抜き出す方向に引かれることにより、貫通穴４０ｂを貫通する係合ピン１１がベルト１８を係止して、ペットへの首輪２の取り付けが終了する。
【００２３】
このように、バックル１は、ベルト１８の先端をその所定の部分に挿通させ、適当な貫通穴４０に係合ピン１１が嵌り込んだときにベルト１８を逆方向に少し引くことにより、ペットに首輪２を取り付けることができる。したがって、バックル１を使用した首輪２は、例えば、じっとしていない活動的な犬に、容易に取り付けることができる。
なお、整合部１７は、バックル１とベルト１８との位置関係を規定して係合ピン１１にその動作を確実に行わせる働きをする。
さて、首輪２は、次のようにしてペットから取り外される。
【００２４】
バックル１に差し入れられ連結されたベルト１８は、さらにバックル１内に少し押し入れられる（Ｈ１）。係合ピン１１のピン部２９は、貫通穴４０ｂの係止部１６側内面に当接し、係合ピン１１は整合部１７側に回動する。これと同時に、操作部３４が操作され、解除部材７が係止部１６側に揺動される（Ｈ２）。そうすると、爪部３８は付勢部材１３の付勢力に抗して下方に揺動し、ピン部２９は、整合部１７側への回動の制限が解除され、押し入れられたベルト１８の貫通穴４０ｂの内面に押されて、ベルト１８の下面よりも下の位置（Ｐ２）まで移動（回動）する。解除部材７は、操作部３４が支持部材６の側板２２の係止面２５に係止されて、限度以上の揺動が阻止される。また、この状態では、係合ピン１１に付勢部材１３の付勢力が働かないので、係合ピン１１は、ピン部２９がベルト１８の下面よりも下に維持される。そこで、解除部材７を、操作部３４が係止面２５に係止された状態に維持してベルト１８をバックル１から弾き出すことにより、ペットから首輪２を取り外すことができる。
【００２５】
図５は他のバックル１Ｂの平面図、図６は図５におけるＡ−Ａ矢視断面図、図７はバックル１Ｂの動作を示す図である。
バックル１Ｂにおいてもバックル１と同様に、バックル１Ｂがベルト１８と一体化されたときのベルト１８の幅方向に相当する方向を「幅方向」といい、バックル１Ｂがベルト１８と一体化されたときのベルト１８の長手方向に相当する方向を「長手方向」というものとする。
また、図６および図７における上下方向を「上下方向」といい、上下方向の上を「上」または「上方」、下を「下」または「下方」という。
【００２６】
図５および図６において、バックル１Ｂは、フレーム５Ｂ、支持部材６Ｂ、係合ピン１１、ピン軸１２、連結補助部４１Ｂ、およびベルト固定軸１４からなる。
フレーム５Ｂは、幅方向の両側で長手方向に互いに対向して平行に延びた板状の２つの側部１５Ｂ，１５Ｂ、長手方向の一方の端で両側の側部１５Ｂ，１５Ｂを連結する係止部１６、および長手方向の他方の端で両側の側部１５Ｂ，１５Ｂを連結する整合部１７Ｂからなる。フレーム５Ｂにおける側部１５Ｂ，１５Ｂは、先に説明したバックル１のフレーム５における側部１５，１５に比べて、長手方向の長さが短い。また、フレーム５Ｂにおける整合部１７Ｂは、フレーム５における整合部１７が備える凹部２０を有しない。その他ついては、フレーム５Ｂは、バックル１におけるフレーム５と同様の構成であるので、図５〜図７においてバックル１におけるものと同一の符合を付しその説明を省略する。
【００２７】
支持部材６Ｂは、２つの側板２２Ｂ，２２Ｂ、底板２３Ｂ、および２つの制限部材４２Ｂ，４２Ｂ等からなる。
側板２２Ｂ，２２Ｂは、フレーム５Ｂの両側部１５Ｂ，１５Ｂの内側に側部１５Ｂ，１５Ｂに沿って配された板状の部材である。側板２２Ｂ，２２Ｂの長さは、側部１５Ｂ，１５Ｂの長さに略等しく、その上縁の位置も側部１５Ｂ，１５Ｂの上縁に略等しい。長手方向において側板２２Ｂ，２２Ｂにおけるピン軸用孔１９およびベルト固定軸用孔に重なる部分には、ピン軸用の貫通孔およびベルト固定軸用の貫通孔が設けられている。
【００２８】
底板２３Ｂは、両側の側板２２Ｂ，２２Ｂのそれぞれの下側端縁に固定されて側板２２Ｂ，２２Ｂと一体化され、ピン軸１２およびベルト固定軸１４を介してフレーム５Ｂに取り付けられている。底板２３Ｂは、その幅方向の中央であって整合部１７Ｂ寄りの位置に、幅方向に長い矩形の操作孔４３Ｂが貫通している。
制限部材４２Ｂ，４２Ｂは、厚みを有する細長く延びた矩形板状の部材であって、一方の表面が側板２２Ｂの内側に固定され、長手方向に延びる側面の一方が底板２３Ｂに固定されている。制限部材４２Ｂ，４２Ｂおけるピン軸用孔１９に長手方向で重なる部分には、ピン軸用の貫通孔が設けられている。
【００２９】
係合ピン１１は、本体部２８とピン部２９とからなり、これらはバックル１におけるものと同一であるので説明を省略する。また、ピン軸１２およびベルト固定軸１４も、バックル１におけるものと同一であり、その説明を省略する。
連結補助部４１Ｂは、前述したバックル１における解除部材７および付勢部材１３の働きをする部分である。連結補助部４１Ｂは、押上部材４４Ｂおよび２つの案内部材４５Ｂ，４５Ｂからなる。
押上部材４４Ｂは、押上部４６Ｂおよび被案内部４７Ｂ，４７Ｂからなる。
【００３０】
押上部４６Ｂは、略直方体の形状を有し、上下方向に直交する断面形状が操作孔４３Ｂの形状に略等しく、操作孔４３Ｂ内を上下動可能となっている。押上部４６Ｂの上面には、その長手方向中央の所定範囲が長手方向に直交する方向の一方に向けて傾斜する押圧面４８Ｂが形成されている。
被案内部４７Ｂ，４７Ｂは、形状が直方体であって、それぞれ押上部４６Ｂとその長手方向両端面の略半分、図６における上方に設けられ、上面が押上部４６Ｂの上面に連続して平面視（図５参照）において長手方向両側に張り出している。
【００３１】
このような押上部４６Ｂおよび被案内部４７Ｂ，４７Ｂからなる押上部材４４Ｂは、幅方向の断面形状（図６参照）が「Ｔ」字状である。押上部材４４Ｂは、押上部４６Ｂにおける被案内部４７Ｂ，４７Ｂと連続していない側が操作孔４３Ｂに挿入されている。押上部材４４Ｂは、両側の被案内部４７Ｂ，４７Ｂが底板２３Ｂの上面に係止されて、操作孔４３Ｂからの脱落が防止されている。
案内部材４５Ｂ，４５Ｂは、略「コ」字状の形状を有している。案内部材４５Ｂ，４５Ｂは、その内方に押上部材４４Ｂの押上部４６Ｂが嵌め入れられて、その開放側の両端が底板２３Ｂに固定されている。案内部材４５Ｂ，４５Ｂは、それぞれが平行に、かつ異なる一方の案内部材４５Ｂに接する位置に配される。また、案内部材４５Ｂにおける対向する２つの脚部４９Ｂ，４９Ｂの長さは、被案内部４７Ｂの上下方向の幅よりも大きい。案内部材４５Ｂ，４５Ｂは、操作孔４３Ｂとともに押上部材４４Ｂを案内し、押上部材４４Ｂを円滑に上下動させる。押上部材４４Ｂが案内部材４５Ｂ，４５Ｂおよび操作孔４３Ｂから受ける制約は、自重により上下動可能な程度の弱いものである。
【００３２】
押上部材４４Ｂは、本考案における連結起動部材に該当する。
なお、制限部材４２Ｂ，４２Ｂも、押上部材４４Ｂとの関連において、その内方側表面が被案内部４７Ｂ，４７Ｂのいずれか異なる一方の外方を向く表面近傍に位置するように配されており、押上部材４４Ｂの上下動の際に押上部材４４Ｂを案内する働きをする。
次に、図７を参照して、バックル１Ｂを備えた首輪２Ｂをペットに取り付ける方法を説明する。
首輪２Ｂがペットの首に巻かれ、ベルト１８の先端が、係止部１６と底板２３Ｂとの間、および整合部１７Ｂとベルト固定軸１４に取り付けられたベルト１８ａとの間に通される（Ｈ１Ｂ）。係合ピン１１は、差し入れられたベルト１８により整合部１７Ｂ側に回動する。このとき、押上部材４４Ｂは自重により下方移動端（被案内部４７Ｂ，４７Ｂが底板２３Ｂの表面（内側表面）に当接し係止される位置）に移動しており、係合ピン１１は、ピン部２９が押上部材４４Ｂの押圧面４８Ｂ（正しくは係止部１６側の端縁である）に当接するまで回動する（Ｐ１Ｂ）。
【００３３】
ベルト１８を、ペットの首廻りに合う位置までバックル１Ｂに差し入れ、そのときに係合ピン１１に貫通穴４０の位置を合わせる（「位置」とは上方が見たときに貫通穴４０を通してピン部２９の先端が見える位置である）。貫通穴４０の位置が合わせられたのちに、押上部材４４Ｂが押し上げられる。
押上部材４４Ｂは、押し上げられる過程でピン部２９に当接する押圧面４８Ｂが係合ピン１１をピン軸１２廻りに回動させ、ピン部２９の先端を貫通穴４０内に入り込ませる（Ｐ２Ｂ）。続いて、ベルト１８がバックル１Ｂから抜き出す方向に移動されることにより、係合ピン１１は貫通穴４０の整合部１７Ｂ側内面に押されて係止部１６側に回動し、係止部１６に係止されて（Ｐ３Ｂ）、ペットに首輪２Ｂが取り付けられる。
【００３４】
本考案にいう係合部とは、バックル１Ｂにおいてはピン部２９における押圧面４８Ｂが作用する部分である。
バックル１Ｂは、適当な貫通穴４０に係合ピン１１の先端が重なったときに押上部材４４Ｂを操作し、ベルト１８を逆方向に少し引くことにより、ペットに首輪２を取り付けることができる。このように、バックル１Ｂを使用した首輪２は、ペットに容易に取り付けることができる。
ペットから首輪２Ｂを取り外すときには、バックル１に差し入れられ連結されたベルト１８を、さらにバックル１Ｂ内に少し押し入れる。この操作により、係合ピン１１が整合部１７Ｂ側に回動し、貫通穴４０から抜け出る。これ以前に、押上部材４４Ｂは自重により下方移動端に移動しており、係合ピン１１は押圧面４８Ｂにその回動が阻止される位置（Ｐ１Ｂ）まで回動する。ベルト１８は、係合ピン１１に妨げられることなく、バックル１Ｂから抜き出される。
【００３５】
なお、押上部材４４Ｂが自重により下方移動端に移動していないときには、押し入れられたベルト１８により回動される係合ピン１１によって押圧面４８Ｂが操作孔４３Ｂ側に押され、押上部材４４Ｂが下方移動端に移動して、ベルト１８のバックル１Ｂからの抜き出しを可能にする。
図８は他のバックル１Ｃの動作を示す図、図９は図８におけるＢ−Ｂ矢視断面図である。
バックル１Ｃにおける「幅方向」、「長手方向」および「上下方向」等は、先に説明したバックル１，１Ｂにおけるものと同じである。
【００３６】
バックル１Ｃは、フレーム５Ｃ、支持部材６、係合ピン１１Ｃ、ピン軸１２、付勢部材１３、解除部材７およびベルト固定軸１４からなる。バックル１Ｃは、フレーム５Ｃおよび係合ピン１１Ｃの形態を除く他のフレーム５等の構成は、バックル１におけるものと同一であり、図８および図９においてバックル１のものと同一の符合を付し、その説明を省略する。
フレーム５Ｃは、２つの側部１５，１５、係止部１６Ｃ、および整合部１７からなる。側部１５，１５および整合部１７は、バックル１のフレーム５におけるものと同一であり、係止部１６Ｃも、以下の点を除きバックル１のフレーム５におけるものと同一である。
【００３７】
係止部１６Ｃは、側部１５，１５を繋ぐ部分における整合部１７側の内面に、幅方向中央から幅方向両側にしばらく延びる、凹状に湾曲する表面を有する溝５２Ｃが設けられている。溝５２Ｃは、その最深部近傍における表面の法線がピン軸１２の軸心を通るように形成されている。溝５２Ｃの長さは、後に説明する係合ピン１１Ｃの厚さよりも若干大きい。
係合ピン１１Ｃは、円板状の本体部２８、爪当接部５０Ｃおよびベルト押圧部５１Ｃからなる。係合ピン１１Ｃは、首輪２Ｃに使用されるベルト１８の幅の約３分の１の厚さを有する。本体部２８の中心には、貫通する孔３０が設けられている。爪当接部５０Ｃは、本体部２８の周面から、本体部２８と厚さを同一として径方向に突出し、先端が湾曲面となった部分である。つまり、爪当接部５０Ｃは、厚さを除けばバックル１の係合ピン１１におけるピン部２９を短くした形状を有する。
【００３８】
ベルト押圧部５１Ｃは、爪当接部５０Ｃと同様に、本体部２８の周面から本体部２８と厚さを同一として径方向に突出し、突出した先端は湾曲する面であるベルト押圧面５３Ｃとなっている。
長手方向の係合ピン１１Ｃよりも外方近傍であってピン軸１２よりも上方におけるフレーム５Ｃの両側部１５，１５間には、丸棒である係止棒５４Ｃが差し渡されている。
バックル１Ｃでは、ベルト押圧面５３Ｃと係止部１６Ｃにおける溝５２Ｃとが次のような関連を有している。すなわち、凹状に湾曲する溝５２Ｃの断面（溝５２Ｃが延びる方向に直交する断面である）の曲率半径が係合ピン１１Ｃの回動半径よりも小さく、かつ溝５２Ｃの整合部１７側端縁５５Ｃからベルト押圧面５３Ｃの最先端の軌跡ＣＳまでの距離Ｄ１が、溝５２Ｃの最深部（の表面）からベルト押圧面５３Ｃの最先端の軌跡ＣＳまでの距離Ｄ２よりも小さい。ここで、「係合ピン１１Ｃの回動半径」とは、ベルト押圧面５３Ｃの最先端の軌跡ＣＳの距離率半径である。
【００３９】
また、バックル１Ｃは、係止部１６Ｃの内面（下方表面）５６Ｃにおける整合部１７側の端縁５７Ｃから溝５２Ｃの整合部１７側端縁５５Ｃまでが、端縁５７Ｃから端縁５５Ｃに向かうに伴い徐々にベルト押圧面５３Ｃの最先端の軌跡ＣＳまでの距離が小さくなるように形成されている。
なお、係合ピン１１Ｃにおけるベルト押圧面５３Ｃの曲率半径は、溝５２Ｃの断面の曲率半径および係合ピン１１Ｃの回動半径のいずれよりも小さい。
バックル１Ｃを備えた首輪２Ｃはペットに次のようにして取り付けられる。
【００４０】
首輪２Ｃがペットの首に巻かれ、ベルト１８の先端が、係止部１６Ｃと底板２３との間、解除部材７の操作部３４と爪部３８との間、および整合部１７とベルト固定軸１４に取り付けられたベルト１８ａとの間に通される（Ｈ１Ｃ）。この作業前には、係合ピン１１Ｃは、付勢部材１３の付勢力により、ベルト押圧部５１Ｃが係止部１６Ｃの内方に位置し（Ｐ１Ｃ）、係合ピン１１Ｃと係止部１６Ｃとの間を狭めている。しかし、係止部１６Ｃと底板２３との間にベルト１８を差し入れることにより係合ピン１１Ｃが回動し、ベルト押圧部５１Ｃは付勢部材１３の付勢力に抗して整合部１７側（Ｐ２Ｃ）に移動するので、ベルト１８を解除部材７の操作部３４と爪部３８との間、および整合部１７とベルト固定軸１４に押し進めることができる。
【００４１】
ベルト１８がバックル１Ｃに押し入れられて首輪２の輪の大きさが適度になったのち、ベルト１８がバックル１から抜き出す方向に引かれる。このとき、係合ピン１１Ｃは、付勢部材１３により爪当接部５０Ｃが上方に付勢されているので、ベルト押圧部５１Ｃがベルト１８の下面に当接している。そのため、係合ピン１１Ｃは、ベルト１８の抜き出しとともに、ベルト押圧面５３Ｃがベルト１８の下面を押圧しながら、ベルト押圧部５１Ｃが溝５２Ｃに近づく方向に回動する。係合ピン１１Ｃは、ベルト１８の下面への押圧の程度を徐々に高めながらベルト１８の移動に伴って回動し、ベルト押圧面５３Ｃが、押圧の程度が最も高い端縁５５Ｃを超え、溝５２Ｃとピン軸１２とを結ぶ線上に達して、それ以上のベルト１８の抜き出しを強く阻止する。
【００４２】
この状態では、溝５２Ｃの整合部１７側端縁５５Ｃからベルト押圧面５３Ｃの最先端の軌跡ＣＳまでの距離Ｄ１が、溝５２Ｃの最深部からベルト押圧面５３Ｃの最先端の軌跡ＣＳまでの距離Ｄ２よりも小さいために、ベルト押圧面５３Ｃは、溝５２Ｃから整合部１７側に抜け出ることが妨げられる。また、係合ピン１１Ｃは、限度以上の係止部１６Ｃ側への回動が係止棒５４Ｃにより妨げられる。
なお、本考案における係合部には爪当接部５０Ｃが含まれる。
ペットからの首輪２Ｃの取り外しは、解除部材７を係止部１６Ｃ側に揺動させ（Ｈ２Ｃ）、ベルト１８をバックル１Ｃに押し進めることにより行われる。この作業により、係合ピン１１Ｃはベルト１８の移動に伴って整合部１７側に回動し、ベルト押圧面５３Ｃによるベルト１８下面への押圧が解除される。解除部材７を係止部１６Ｃ側に揺動させた状態を維持してベルト１８をバックル１Ｃから抜き出すことにより、首輪２Ｃをペットから取り外すことができる。
【００４３】
バックル１Ｃが使用された首輪２Ｃは、ペットに容易に取り付けることができ、人為的な操作を行わなければ、ペットから外れることがない。
バックル１Ｃにおける解除部材７および付勢部材１３に換えて、バックル１Ｂにおける連結補助部４１Ｂを使用してバックルを形成してもよい。
また、ベルト押圧部５１Ｃの先端部分を湾曲するベルト押圧面５３Ｃとせず、くさび形または略円錐状の形状等としてもよい。
バックル１，１Ｂでは、係合ピン１１はピン部２９が爪部３８または押上部４６Ｂに押圧されて回動するが、係合ピン１１を、ピン部２９が押圧されるのではなく、爪部３８または押上部４６Ｂに押圧されるための部分を他に設けて回動されるようにしてもよい。
【００４４】
バックル１Ｂにおける係合ピン１１を係止部１６側に回動させる手段として、上下方向に移動する押上部材４４Ｂに換えて、図１０に示されるようなフレーム５Ｂの長手方向に往復動する押出部材５８Ｄを用いることができる。押出部材５８Ｄは、幅方向に略直交する面内において往復動可能であって係合ピン１１を係止部１６側に回動させることができれば、他の形態を採用することができる。
上述の実施形態において、バックル１，１Ｃ，１Ｄにおける付勢部材１３を、一端が底板２３の上面（内面）に当接させ、他端を爪部３８の下面に当接させたコイルバネとすることができる。また、付勢部材１３に、解除部材７を整合部１７側に揺動させることができるように形成されたその他の弾性を有する部材を用いてもよい。
【００４５】
その他、バックル１，１Ｂ，１Ｃ，１Ｄ、およびバックル１，１Ｂ，１Ｃ，１Ｄの各構成または全体の構造、形状、寸法、個数、材質などは、本考案の趣旨に沿って適宜変更することができる。
【産業上の利用可能性】
【００４６】
本考案は、ペット用首輪に利用することができる。
【図面の簡単な説明】
【００４７】
【図１】図１はバックルの正面図である。
【図２】図２はバックルの平面図である。
【図３】図３はバックルの斜視図である。
【図４】図４はバックルの動作を示す図である。
【図５】図５は他のバックルの平面図である。
【図６】図６は図５におけるＡ−Ａ矢視断面図である。
【図７】図７は図５に示されるバックルの動作を示す図である。
【図８】図８は他のバックルの動作を示す図である。
【図９】図９は図８におけるＢ−Ｂ矢視断面図である。
【図１０】図１０は他のバックルの動作を示す図である。
【図１１】図１１は従来のペット用首輪の斜視図である。
【符号の説明】
【００４８】
１，１Ｂ，１Ｃ，１Ｄ  首輪用バックル（バックル）
２，２Ｂ，２Ｃ，２Ｄ  ペット用首輪（首輪）
５，５Ｂ，５Ｃ  フレーム本体（フレーム）
６，６Ｂ  フレーム本体（支持部材）
７  連結起動部材（解除部材）
１１，１１Ｃ  係合ピン
１２  回動軸（ピン軸）
１６，１６Ｃ  係止部
１８  ベルト
２９  ピン部、係合部
３８  作用部（爪部）
４０  貫通穴
４４Ｂ  連結起動部材（押上部材）
４８Ｂ  作用部（押圧面）
５０Ｃ  係合部（爪当接部）
５１Ｃ  ベルト押圧部
【図１】
0003144800.tif 000003
【図２】
0003144800.tif 000004
【図３】
0003144800.tif 000005
【図４】
0003144800.tif 000006
【図５】
0003144800.tif 000007
【図６】
0003144800.tif 000008
【図７】
0003144800.tif 000009
【図８】
0003144800.tif 000010
【図９】
0003144800.tif 000011
【図１０】
0003144800.tif 000012
【図１１】
0003144800.tif 000013